(57)【要約】【課題】遊技者に違和感を与えることを抑制可能な遊技機の提供を目的とする。【解決手段】本発明に係るパチンコ遊技機１０では、第１の駆動モータ４３，４３により駆動されるサブ液晶表示装置４１，４１が、互いに接近し、表示画面３０Ｇの前方で互いに突き合わされる。そして、サブ液晶表示装置４１，４１が互いに離れるときに、サブ液晶表示装置４１の裏側に組み付けられた表示変化部材４５が、第２の駆動モータ４６によってサブ液晶表示装置４１と逆方向に駆動され、突き当て状態で出現する。そして、本発明では、サブ液晶表示装置４１，４１が互いに離れるときに、表示変化部材４５がサブ液晶表示装置４１から突出する速度が、サブ液晶表示装置４１の速度以上となるように、第１と第２の駆動モータ４３，４６が制御される。【選択図】図６
2015188660.tif 000002
【特許請求の範囲】
【請求項１】
第１の駆動源により駆動されて当接部材に突き当て可能に所定位置から移動する第１移動部材と、
第１の移動部材に組み付けられ、第２の駆動源により駆動されて前記第１移動部材に対して相対移動可能な第２移動部材と、
前記第１と第２の駆動源を制御する駆動制御手段と、を備え、
前記第１移動部材が前記当接部材に突き当てられた状態で、前記第２移動部材が前記当接部材に突き当てられ、前記第１移動部材が前記当接部材から離れるときに、前記第２移動部材が前記第１移動部材と異なる方向に移動して前記当接部材との突き当て状態を保持するように前記第１移動部材から突出する構成であって、
前記駆動制御手段は、前記第１移動部材が前記当接部材から離れ、且つ、前記第２移動部材が前記当接部材との突き当て状態を保持するように移動するときに、前記第２の駆動源の駆動トルクの大きさが前記第１の駆動源の駆動トルクの大きさ以上であって、前記第２移動部材が前記第１移動部材から突出するときの相対移動速度における前記第１移動部材の移動方向成分の大きさが、前記第１移動部材が前記当接部材から離れるときの移動速度の大きさ以上となるように、前記第１と第２の駆動源を制御することを特徴とする遊技機。
【請求項２】
前記駆動制御手段は、前記第１移動部材が前記当接部材から離れ、且つ、前記第２移動部材が前記当接部材との突き当て状態を保持するように移動する以外の状態では、前記第１移動部材と前記第２移動部材の各々について予め設定された移動状態に適合した駆動トルクの大きさ、前記第１移動部材の移動速度及び前記第２移動部材の相対移動速度となるように、前記第１と第２の駆動源を制御することを特徴とする請求項１に記載の遊技機。
【請求項３】
遊技に関する演出を表示可能な表示部を備え、
前記第１移動部材と前記当接部材とは、互いに突き当てられた状態で、それら第１移動部材と当接部材との境界部分が前記表示部の前方に位置するように配置されることを特徴とする請求項１又は２に記載の遊技機。
【請求項４】
前記第２移動部材は、前記表示部の表示を視覚的に変化させる表示変化部材であって、
前記表示変化部材と前記当接部材とは、前記第１移動部材が前記当接部材から離れ、且つ、前記表示変化部材が前記当接部材との突き当て状態を保持するように移動するときに、互いに突き当てられた状態で、それら表示変化部材と当接部材との境界部分が前記表示部の前方に位置するように配置されることを特徴とする請求項３に記載の遊技機。
【請求項５】
前記第１移動部材は、前記表示部とは別に遊技に関する演出を表示可能なサブ表示部を有することを特徴とする請求項３又は４に記載の遊技機。
【請求項６】
前記第１移動部材と前記第２移動部材とを１対ずつ互いに接近して突き当て可能に備え、
前記駆動制御手段は、１対の前記第１移動部材が互いに突き当てられた状態で、１対の前記第２移動部材が互いに突き当てられ、１対の前記第１移動部材が互いに離れるときに、１対の前記第２移動部材が互いに接近して突き当て状態を保持するように、前記第１と第２の駆動源を制御し、
１対ずつの前記第１移動部材及び前記第２移動部材のうち一方の前記第１移動部材及び前記第２移動部材で前記当接部材を構成したことを特徴とする請求項１乃至５のうち何れか１の請求項に記載の遊技機。
【請求項７】
前記駆動制御手段は、１対の前記第１移動部材を駆動する１対の前記第１の駆動源の間で駆動トルクの大きさが同じか略同じであって、１対の前記第１移動部材の移動速度が同じか略同じとなるように１対の前記第１の駆動源を制御すると共に、前記第２移動部材を駆動する１対の前記第２の駆動源の間で駆動トルクが同じか又は同じであって、１対の前記第２移動部材の間で移動速度が同じか略同じとなるように１対の前記第２の駆動源を制御することを特徴とする請求項６に記載の遊技機。
【発明の詳細な説明】
【技術分野】
【０００１】
本発明は、駆動源によって駆動される移動部材を備えた遊技機に関する。
【背景技術】
【０００２】
従来の遊技機として、駆動源により駆動される駆動役物が表示部の前方で当接部材に突き当てられるものが知られている（例えば、特許文献１参照）。
【先行技術文献】
【特許文献】
【０００３】
【特許文献１】特開２０１１−２２４１９３号公報（［００３６］、図２）
【発明の概要】
【発明が解決しようとする課題】
【０００４】
ところで、遊技の趣向性の向上を目的として、上述した従来の遊技機において、例えば、駆動役物に対して相対移動可能なサブ役物を駆動役物に組み付け、駆動役物が当接部材に突き当てられたときに、サブ役物が当接部材に突き当てられ、駆動役物が当接部材から離れるときに、サブ役物が駆動役物と逆方向に移動して当接部材との突き当て状態を保持するように駆動役物から突出する演出を行わせることが考えられる。しかしながら、このような演出を行わせる場合に、サブ役物が駆動役物につられて移動してサブ役物と当接部材との間に隙間が生じると、遊技者に違和感を与えるという問題が生じ得た。
【０００５】
本発明は、上記事情に鑑みてなされたもので、遊技者に違和感を与えることを抑制可能な遊技機の提供を目的とする。
【課題を解決するための手段】
【０００６】
上記目的を達成するためになされた請求項１の発明に係る遊技機は、第１の駆動源により駆動されて当接部材に突き当て可能に所定位置から移動する第１移動部材と、第１移動部材に組み付けられ、第２の駆動源により駆動されて第１移動部材に対して相対移動可能な第２移動部材と、第１と第２の駆動源を制御する駆動制御手段と、を備え、第１移動部材が当接部材に突き当てられた状態で、第２移動部材が当接部材に突き当てられ、第１移動部材が当接部材から離れるときに、第２移動部材が第１移動部材と異なる方向に移動して当接部材との突き当て状態を保持するように第１移動部材から突出する構成であって、駆動制御手段は、第１移動部材が当接部材から離れ、且つ、第２移動部材が当接部材との突き当て状態を保持するように移動するときに、第２の駆動源の駆動トルクの大きさが第１の駆動源の駆動トルクの大きさ以上であって、第２移動部材が第１移動部材から突出するときの相対移動速度における第１移動部材の移動方向成分の大きさが、第１移動部材が当接部材から離れるときの移動速度の大きさ以上となるように、第１と第２の駆動源を制御するところに特徴を有する。
【０００７】
請求項２の発明は、請求項１に記載の遊技機において、第１移動部材が前記当接部材から離れ、且つ、第２移動部材が当接部材との突き当て状態を保持するように移動する以外の状態では、第１移動部材と第２移動部材の各々について予め設定された移動状態に適合した駆動トルクの大きさ、第１移動部材の移動速度及び第２移動部材の相対移動速度となるように、第１と第２の駆動源を制御するところに特徴を有する。
【０００８】
請求項３の発明は、請求項１又は２に記載の遊技機において、遊技に関する演出を表示可能な表示部を備え、第１移動部材と当接部材とは、互いに突き当れられた状態で、それら第１移動部材と当接部材との境界部分が表示部の前方に位置するように配置されるところに特徴を有する。
【０００９】
請求項４の発明は、請求項３に記載の遊技機において、第２移動部材は、表示部の表示を視覚的に変化させる部材であって、表示変化部材と当接部材とは、第１移動部材が当接部材から離れ、且つ、表示変化部材が当接部材との突き当て状態を保持するように移動するときに、互いに突き当てられた状態で、それら表示変化部材と当接部材との境界部分が表示部の前方に位置するように配置されるところに特徴を有する。
【００１０】
請求項５の発明は、請求項３又は４に記載の遊技機において、第１移動部材は、表示部とは別に遊技に関する演出を表示可能なサブ表示部を有するところに特徴を有する。
【００１１】
請求項６の発明は、請求項１乃至５のうち何れか１の請求項に記載の遊技機において、第１移動部材と第２移動部材とを１対ずつ互いに接近して突き当て可能に備え、駆動制御手段は、１対の第１移動部材が互いに突き当てられた状態で、１対の第２移動部材が互いに突き当てられ、１対の第１移動部材が互いに離れるときに、１対の第２移動部材が互いに接近して突き当て状態を保持するように、第１と第２の駆動源を制御し、１対ずつの第１移動部材及び第２移動部材のうち一方の第１移動部材及び第２移動部材で当接部材を構成したところに特徴を有する。
【００１２】
請求項７の発明は、請求項６に記載の遊技機において、駆動制御手段は、１対の第１移動部材を駆動する１対の第１の駆動源の間で駆動トルクの大きさが同じか略同じであって、１対の第１移動部材の移動速度が同じか略同じとなるように１対の第１の駆動源を制御すると共に、第２移動部材を駆動する１対の第２の駆動源の間で駆動トルクが同じか又は同じであって、１対の第２移動部材の間で移動速度が同じか略同じとなるように１対の第２の駆動源を制御するところに特徴を有する。
【発明の効果】
【００１３】
［請求項１の発明］
本発明では、第１移動部材が当接部材に突き当てられた状態で、第２移動部材が当接部材に突き当てられ、第１移動部材が当接部材から離れるときに、第２移動部材が第１移動部材と逆方向に移動する。ここで、第１移動部材と第２移動部材を駆動する第１と第２の駆動源は、第２移動部材が第１移動部材から突出するときの相対移動速度の大きさが、第１移動部材が当接部材から離れるときの移動速度の大きさ以上となるように制御されるので、第２移動部材が第１移動部材につられて移動して、第２移動部材と当接部材との間に隙間が生じることが抑えられる。これにより、遊技者に違和感を与えることが抑制可能となる。
【００１４】
［請求項２の発明］
請求項２の発明によれば、第１移動部材と第２移動部材とを、予め設定された移動状態に合わせてスムーズに移動させることが可能となる。
【００１５】
［請求項３の発明］
請求項３の発明によれば、第１移動部材が当接部材から離れるときに、第２移動部材と当接部材との間の隙間から表示部が視認されることが抑えられる。これにより、遊技者に違和感を与えることをより抑制可能となる。
【００１６】
［請求項４の発明］
請求項４の発明によれば、第１移動部材から第２移動部材が突出すると、表示部の表示が視覚的に変化するので、遊技の趣向性向上が図られる。ここで、第１移動部材が当接部材から離れるときに、第２移動部材と当接部材との間の隙間が生じると、その隙間が目立つことになるが、本発明によれば、第２移動部材が第１移動部材につられて移動することが抑えられるので、第２移動部材と当接部材との間に隙間が生じることが抑えられる。これにより、遊技者に違和感を与えることが抑制可能となる。
【００１７】
［請求項５の発明］
請求項５の発明によれば、表示部とは別のサブ表示部を備えたことで遊技の趣向性向上が図られる。また、第１移動部材を駆動してサブ表示部を移動させることが可能となり、遊技の趣向性をより向上させることが可能となる。
【００１８】
［請求項６の発明］
請求項６の発明では、１対の第１移動部材が突き当てられた状態から互いに離れると、１対の第２移動部材が互いに突き当てられた状態で１対の第１移動部材から突出するので、遊技の趣向性向上が図られる。また、本発明によれば、１対の第２移動部材の間に隙間が生じることが抑制されるので、遊技者に違和感を与えることが抑制可能となる。
【００１９】
［請求項７の発明］
請求項７の発明によれば、１対の第１移動部材と１対の第２移動部材とを同じか略同じ速度で移動させることが可能となる。
【図面の簡単な説明】
【００２０】
【図１】本発明の第１実施形態に係るパチンコ遊技機の正面図
【図２】遊技板の正面図
【図３】基準位置に配置されたサブ液晶表示装置の（Ａ）正面図、（Ｂ）平面図
【図４】演出位置に配置されたサブ液晶表示装置の（Ａ）正面図、（Ｂ）平面図
【図５】突き当て状態の表示変化部材周辺の（Ａ）正面図、（Ｂ）平面図
【図６】基準位置へ向かう途中のサブ液晶表示装置周辺の（Ａ）正面図、（Ｂ）平面図
【図７】表示変化部材が待機位置へ戻ったときのサブ液晶表示装置周辺の（Ａ）正面図、（Ｂ）平面図
【図８】パチンコ遊技機の電気的な構成を示すブロック図
【図９】第２実施形態に係るパチンコ遊技機の液晶表示装置周辺の（Ａ）正面図、（Ｂ）平面図
【図１０】演出位置に配置されたサブ液晶表示装置周辺の（Ａ）正面図、（Ｂ）平面図
【図１１】基準位置へ向かう途中のサブ液晶表示装置周辺の（Ａ）正面図、（Ｂ）平面図
【図１２】（Ａ）第３実施形態に係るパチンコ遊技機の可動演出部材周辺の正面図、（Ｂ）第１移動部材が演出位置に配置されたときの可動演出部材周辺の正面図
【図１３】（Ａ）第１移動部材が基準位置へ向かう途中の可動演出部材周辺の正面図、（Ｂ）第１移動部材が基準位置へ戻ったときの可動演出部材周辺の正面図
【図１４】（Ａ）基準位置に配置されたサブ液晶表示装置の正面図、（Ｂ）演出位置に配置されたサブ液晶表示装置の正面図、（Ｃ）突き当て状態の表示変化部材周辺の正面図
【発明を実施するための形態】
【００２１】
以下、本発明をパチンコ遊技機に適用した一実施形態を図１〜図８に基づいて説明する。図１に示すように、本実施形態のパチンコ遊技機１０（以下、単に、遊技機１０という。）は、遊技領域Ｒ１を前面に有した遊技板１１を、遊技機１０の前面に開閉可能に取り付けられた前面枠１０Ｚで覆ってなり、その前面枠１０Ｚに形成されたガラス窓１０Ｗを通して、遊技領域Ｒ１の全体が視認可能となっている。なお、遊技領域Ｒ１は、遊技板１１の前面から突出したガイドレール１２（図２参照）に四方を囲まれることで形成されている。
【００２２】
前面枠１０Ｚのうちガラス窓１０Ｗより下方には、上皿２６と下皿２７が上下２段にして設けられ、下皿２７の右側には、操作ハンドル２８が備えられている。そして、操作ハンドル２８を回動操作すると、上皿２６に収容された遊技球が遊技領域Ｒ１に向けて弾き出される。なお、上皿２６に備えた図示しない球排出ボタンを押すと上皿２６に収容されている遊技球が下皿２７へと移動する。
【００２３】
図２に示すように、遊技板１１のうち遊技領域Ｒ１の中央には、遊技板表示窓１１Ｈが貫通形成されており、その遊技板表示窓１１Ｈに遊技板１１の裏面側から液晶表示装置３０の表示画面３０Ｇが対向している。
【００２４】
遊技板１１の前面中央には、表示画面３０Ｇを囲むように表示装飾枠２３が取り付けられている。具体的には、表示装飾枠２３は、遊技板１１の前面側から遊技板表示窓１１Ｈに嵌め込まれて、遊技板表示窓１１Ｈの内側に張り出すと共に、遊技板１１の前面から突出している。そして、遊技領域Ｒ１を流下する遊技球が、表示装飾枠２３の内側に進入しないように構成されている。
【００２５】
遊技領域Ｒ１のうち表示装飾枠２３の下方における左右方向の中央部には、第１の始動入賞口１４Ａ、大入賞口１５及びアウト口１６が、上から順に間隔を開けて並べて設けられている。第１の始動入賞口１４Ａの左右の両側には、ガイドレール１２に沿って一般入賞口２０が複数設けられている。また、遊技領域Ｒ１のうち表示装飾枠２３の右側には、始動ゲート１８と第２の始動入賞口１４Ｂとが上から順に間隔を開けて並べられている。なお、遊技領域Ｒ１には多数の障害釘が植設されている。
【００２６】
一般入賞口２０は、所謂、ポケット構造をなして、遊技板１１の前面から突出した部材上面に開放しており、遊技球が丁度１つ入球可能な大きさで上方に開口している。そして、一般入賞口２０に遊技球が入ると、例えば、１５個の遊技球が賞球として上皿２６に払い出される。
【００２７】
大入賞口１５は、横長矩形に形成されて、常には、可動扉１５Ｔにて閉塞されている。可動扉１５Ｔは、遊技機１０が「大当り遊技状態」になると、所定期間に亘って前側に倒れる。これにより、大入賞口１５が開放され、可動扉１５Ｔを案内にして、大入賞口１５に遊技球が入球可能となる。そして、大入賞口１５に遊技球が入球（入賞）すると、例えば、１個の入球につき１５個の遊技球が上皿２６に払い出される。
【００２８】
始動ゲート１８は、遊技球が潜って通過可能な門形構造をなし、遊技球が始動ゲート１８を通過すると普通図柄の当否判定が行われる。この当否判定の結果は、普通図柄表示装置１８Ｘ（図８参照）にて表示される。
【００２９】
第１の始動入賞口１４Ａは、一般入賞口２０と同様のポケット構造をなし、遊技球が丁度１つ入球可能な大きさで上方に開口している。また、第２の始動入賞口１４Ｂは、遊技球が１つずつ入ることが可能な大きさで前方に開口し、通常は、回動扉１４Ｔにて前方が閉塞されることで、遊技球の入球が規制されている。回動扉１４Ｔは、上述した普通図柄当否判定の結果が当たりとなったときに、所定時間だけ前側に倒される。このとき、回動扉１４Ｔは、第２の始動入賞口１４Ｂの側方から流下してきた遊技球を上面で受け止めて、第２の始動入賞口１４Ｂへと誘導可能となる。なお、各始動入賞口１４Ａ，１４Ｂに入った遊技球は、遊技板１１に設けた図示しない貫通孔を通って、遊技板１１の裏側に回収される。
【００３０】
第１と第２の始動入賞口１４Ａ，１４Ｂに遊技球が入球すると、例えば、１個の入球につき４個の遊技球が上皿２６に払い出されると共に、特別図柄の当否判定が行われる。この判定結果は、特別図柄表示装置１４Ｘ（図８参照）にて表示されると共に、液晶表示装置３０の表示画面３０Ｇにも表示される。
【００３１】
具体的には、表示画面３０Ｇには、通常、３つの特別図柄が横並びに停止表示されている。これら各特別図柄は、例えば、「０」〜「１１」の数字を表記した複数種類のもので構成されており、通常は、各特別図柄ごと、所定の種類のものが停止表示されている（図２の例では、各特別図柄として「７」が停止表示されている。）。そして、始動入賞口１４Ａ，１４Ｂに遊技球が入賞したときに、これら３つの特別図柄が、上下方向にスクロール表示され、所定時間後に停止表示される。特別図柄当否判定の結果が当り（以下、「大当り」という）の場合には、各特別図柄が全て同じ図柄（ゾロ目）で停止表示され、遊技が「大当り遊技状態」に移行する。これに対し、当否判定結果が外れの場合には、ゾロ目以外の組み合わせで停止表示され、「大当り遊技状態」ではない通常の遊技状態が続く。
【００３２】
また、表示画面３０Ｇでは、特別図柄当否判定の結果が表示される過程で、３つの特別図柄の変動中に行われる予告演出や、３つの特別図柄のうち２つが同じ図柄で停止表示された後に行われるリーチ演出といった演出が行われる。また、表示画面３０Ｇでは、大当たり遊技中に、大当たり遊技終了後の特典（例えば、確変状態や時短状態）が付与されるか否かについての演出が行われてもよい。
【００３３】
上述した各入賞口１４Ａ，１４Ｂ，１５，２０の何れにも入賞しなかった遊技球は、遊技領域Ｒ１の下端に配置されたアウト口１６に全て取り込まれる。
【００３４】
ところで、本実施形態の遊技機１０では、図２に示すように、液晶表示装置３０の左右両側に１対の可動演出部材４０を備えている。図３（Ａ）及び図３（Ｂ）に示すように、各可動演出部材４０は、サブ液晶表示装置４１と表示変化部材４５とで構成されている。そして、このサブ液晶表示装置４１が、第１の駆動モータ４１（図３（Ａ）及び図８参照）により駆動されて、前方からみたときに液晶画面３０Ｇの斜め前方に配置された基準位置（図３（Ａ）参照）と、液晶画面３０Ｇの前方に配置された演出位置（図４（Ｂ）参照）との間を直線移動可能となっている。なお、サブ液晶表示装置４１は、通常は、基準位置に配置され、特定の演出条件が成立したときに、演出位置に配置されるようになっている。また、１対の可動演出部材４０，４０は、基準位置で、表示画面３０Ｇの左右方向の中央線に対して対称に配置されている。
【００３５】
詳細には、サブ液晶表示装置４１は、図３（Ａ）に示すように、表示画面４１Ｇ（本発明の「サブ表示部」に相当する。）を備えた本体部４１Ｈが可動ステージ４１Ｓの上に固定された構造になっていて、この可動ステージ４１Ｓが、第１の駆動モータ４３からの駆動力を受けて、左右方向に延びたガイドレール４２に沿って直動する。
【００３６】
表示変化部材４５は、サブ液晶表示装置４１の本体部４１Ｈの裏側に組み付けられ、第２の駆動モータ４６により駆動されてサブ液晶表示装置４１に対して相対移動可能となっている。具体的には、表示変化部材４５は、サブ液晶表示装置４１の移動経路に沿って移動、即ち、ガイドレール４１と平行に直線移動し、サブ液晶表示装置４１の裏側に全体が隠れた待機位置と、サブ液晶表示装置４１から側方に突出した出現位置とに配置される。ここで、本実施形態では、表示変化部材４５は、拡散レンズになっていて、表示変化部材４５を通して見ると、表示変化部材４５の向こう側が拡大されて見えるようになっている。従って、表示変化部材４５が出現位置に配置されると、表示変化部材４５の奥側が拡大されて見えるようになっている。なお、表示変化部材４５を駆動する第２の駆動モータ４６は、サブ液晶表示装置４１に固定されている。
【００３７】
ここで、第１と第２の駆動モータ４２，４６は共に、ステッピングモータになっていて、各駆動モータ４２，４６の回転出力は、後述する駆動制御回路５９（図８参照）によって制御されている。
【００３８】
なお、本実施形態では、サブ液晶表示装置４１と表示変化部材４５とが、本発明の「第１移動部材」と「第２移動部材」とに相当し、第１の駆動モータ４２と第２の駆動モータ４６とが、本発明の「第１の駆動源」と「第２の駆動源」とに相当する。
【００３９】
次に、遊技機１０でサブ液晶表示装置４１及び表示変化部材４５を用いて実行される液晶駆動演出について説明する。なお、図３（Ａ）及び図３（Ｂ）には、液晶駆動演出の実行前の状態が示されていて、１対のサブ液晶表示装置４１，４１は共に、基準位置に配置され、各サブ液晶表示装置４１に組み付けられた表示変化部材４５は待機位置に配置されている。
【００４０】
液晶駆動演出が実行されると、図３（Ａ）から図３（Ｂ）への変化に示すように、１対のサブ液晶表示装置４１，４１が共に基準位置から演出位置へと移動して接近し、演出位置に配置されたとき、互いに突き当てられた状態となる。このとき、サブ液晶表示装置４１，４１同士は、隙間なく当接し、液晶表示装置３０の表示画面３０Ｇの前方を覆う。なお、サブ液晶表示装置４１が基準位置から演出位置へ移動する間は、第１の駆動モータのみが作動し、表示変化部材４５は、図４（Ｂ）に示すように、待機位置に配置されたまま、サブ液晶表示装置４１と一体に移動する。また、第１の駆動モータ４３，４３の回転出力の大きさはほぼ同じになっていて、突き当て状態のサブ液晶表示装置４１，４１の境界部分は、表示画面３０Ｇにおける左右方向の中央前方に配置される。
【００４１】
サブ液晶表示装置４１，４１が演出位置に配置されると、図４（Ｂ）から図５（Ｂ）の変化に示すように、表示変化部材４５，４５が、第２の駆動モータ４６から駆動力を受けて互いに接近するように移動し、サブ液晶表示装置４１，４１の裏側で互いに突き当てられた状態となる。なお、このとき、表示変化部材４５，４５は、サブ液晶表示装置４１，４１の裏側に隠れ、表示変化部材４５，４５の動作が遊技者に視認困難となっている（図５（Ａ）参照）。
【００４２】
表示変化部材４５，４５同士が突き当て状態になると、図５（Ａ）から図６（Ａ）への変化に示すように、１対のサブ液晶表示装置４１，４１同士は、演出位置から基準位置へと駆動されて離間する。このとき、表示変化部材４５，４５同士は、表示変化部材突き当て状態を保持するようにサブ液晶表示装置４１と逆方向に移動して、サブ液晶表示装置４１から突出する（図６（Ｂ）参照）。言い換えれば、表示変化部材４５，４５同士は、突き当て状態を保持するように出現位置へと駆動される。なお、図５（Ａ）から図６（Ａ）への変化において、第１の駆動モータ４３，４３の駆動トルクの大きさは同じになっていて、１対のサブ液晶表示装置４１，４１は、同じ速さで離れていく。
【００４３】
サブ液晶表示装置４１，４１が基準位置へと戻ると、図７（Ｂ）へ示すように、１対の表示変化部材４５，４５は、出現位置から待機位置へと駆動されて離間する。そして、表示変化部材４５，４５が待機位置へ配置されると、液晶駆動演出が終了し、図４（Ａ）に示した元の状態に戻る（図７（Ａ）参照）。なお、図６（Ａ）から図７（Ａ）への変化において、１対の第２の駆動モータ４６，４６の駆動トルクの大きさは同じになっていて、１対の表示変化部材４５，４５は、同じ速さで待機位置へと向かう。
【００４４】
このように、液晶駆動演出では、まず、１対の可動演出部材４０，４０が接近して、表示画面３０Ｇの前方で互いに突き当て状態となり、その後、可動演出部材４０，４０のうちサブ液晶表示装置４１，４１が離間する。すると、サブ液晶表示装置４１，４１の裏側に隠れていた表示変化部材４５，４５が互いに突き当てられた状態で表示画面３０Ｇの前方に出現する。ここで、上述したように、表示変化部材４５は、拡散レンズになっているので、表示変化部材４５が出現すると、表示画面３０Ｇの表示が拡大されるようになる。なお、本実施形態では、１対の可動演出部材４０，４０のうち一方の可動演出部材４０（サブ液晶表示装置４１及び表示変化部材４５）によって、本発明の「当接部材」が構成されている。
【００４５】
ところで、表示変化部材４５は、サブ液晶表示装置４１に組み付けられているため、１対のサブ液晶表示装置４１，４１が互いに離れるときに（図６（Ａ）及び図６（Ｂ）参照）、表示変化部材４５がサブ液晶表示装置４１につられて基準位置側に移動すると、表示変化部材４５，４５同士の間に隙間が生じる。すると、その隙間が形成された部分だけ表示画面３０Ｇの表示が拡大されなくなり、遊技者に違和感を与えるという問題が生じ得る。この問題を解決するために、本実施形態の遊技機１０では、駆動制御回路５９（図８参照）が、以下に説明するように、第１と第２の駆動モータ４３，４６を制御する。
【００４６】
即ち、駆動制御回路５９は、１対のサブ液晶表示装置４１，４１が互いに離れるときに、表示変化部材４５，４５が出現位置へ向かうときの相対移動速度の大きさ（詳細には、一方の表示変化部材４５について、突き当て相手である他方の表示変化部材４５が存在しなかった場合におけるサブ液晶表示装置４１に対する相対移動速度の大きさ）が、サブ液晶表示装置４１，４１が互いに離れる速度の大きさ以上となるように、第１と第２の駆動モータ４３，４６を制御する。その結果、表示変化部材４５，４５は、１対のサブ液晶表示装置４１，４１が互いに離れるときに、定位置に保持されるか、又は、互いに押し合うように駆動される。これにより、表示変化部材４５，４５同士の間に隙間が生じることが抑えられ、遊技者に違和感を与えることが抑えられる。
【００４７】
上記した遊技機１０の動作を実現するため、遊技機１０には、図８に示すように、各種回路が備えられ、それら回路が情報の処理を実行する。以下、各回路について説明する。
【００４８】
図８において、符号５０は、主制御回路５０であって、ＣＰＵ５１ＡとＲＡＭ５１Ｂ及びＲＯＭ５１Ｃ、複数のカウンタを備えたマイクロコンピュータと、該マイクロコンピュータとサブ制御回路５２を結ぶ入出力回路と、大入賞口１５等が接続された中継回路５７及び払出制御回路５８等を結ぶ入出力回路とを備え、遊技に関わる主制御を行う。ＣＰＵ５１Ａは、当否判定部、制御部、演算部、各種カウンタ、各種レジスタ、各種フラグ等を備え、演算制御を行う他、特別図柄当りや普通図柄当りに関する乱数等も生成し、制御信号をサブ制御回路５２等へ出力（送信）可能に構成されている。ＲＡＭ５１Ｂは、特別図柄用保留球数及び普通図柄用保留球数の記憶領域、ＣＰＵ５１Ａで生成される各種乱数値用の記憶領域、各種データを一時的に記憶する記憶領域やフラグ、ＣＰＵ５１Ａの作業領域を備える。ＲＯＭ５１Ｃには、主制御回路５０が実行するプログラムや制御データ、特別図柄及び普通図柄の変動表示に関する図柄変動データ等が書き込まれている他、特別図柄当り及び普通図柄当りの判定値等が書き込まれている。
【００４９】
サブ制御回路５２は、主制御回路５０と同様に、ＣＰＵ５２ＡとＲＡＭ５２Ｂ、ＲＯＭ５２Ｃ、複数のカウンタを備えたマイクロコンピュータと、前記マイクロコンピュータと主制御回路５０を結ぶ入出力回路と、表示制御回路５４、音声制御回路５５、ランプ制御回路５６及び駆動制御回路５９等を結ぶ入出力回路を備えている。ＣＰＵ５２Ａは、制御部、演算部、各種カウンタ、各種レジスタ、各種フラグ等を備え、演算制御を行う他、制御信号を表示制御回路５４及びランプ制御回路５６、音声制御回路５５等へ出力（送信）可能に構成されている。ＲＡＭ５２Ｂは、各種データの記憶領域とＣＰＵ５２Ａによる作業領域を有している。ＲＯＭ５２Ｃには、サブ制御回路５２が実行するプログラムや特別図柄の変動パターンテーブル等が記憶されている。
【００５０】
音声制御回路５５は、サブ制御回路５２から出力される制御信号に基づき、スピーカ２５，２５から発生されるＢＧＭや演出時の音声の選択を行い、音声を制御する。
【００５１】
ランプ制御回路５６は、サブ制御回路５２と接続され、サブ制御回路５２から出力された装飾ランプ２２等の電飾制御を行うための制御信号を中継するための回路である。
【００５２】
表示制御回路５４は、ＣＰＵとＲＡＭ及びＲＯＭを備えたマイクロコンピュータを主要部として備えている。表示制御回路５４のＲＡＭは、各種データの記憶領域とＣＰＵによる作業領域を有している。表示制御回路５４のＲＯＭには、各種演出の制御プログラムが記憶されている。そして、表示制御回路５４は、サブ制御回路５１からの制御信号に基づいて、表示画面３０Ｇ，４１Ｇに判定図柄、演出画像等を表示させる。
【００５３】
駆動制御回路５９は、サブ制御回路５２からの制御信号に基づいて、第１の駆動モータ４３，４３及び第２の駆動モータ４６，４６を制御する。特に、上述した液晶駆動演出（図３〜図７参照）における液晶表示装置４１，４１及び表示変化部材４５，４５の動作を実現するために、各駆動モータ４３，４６を制御する。
【００５４】
詳細には、駆動制御回路５９は、１対の表示変化部材４５，４５が突き当て状態を保持して、それら１対の表示変化部材４５，４５の間に隙間が生じないように、各駆動モータ４３，４６を以下のように制御する。即ち、１対のサブ液晶表示装置４１，４１が互いに離れる方向に移動する際（図６（Ａ）参照）、サブ液晶表示装置４１の重さを考慮して、各第１の駆動モータ４３を、駆動トルクが２０ｍＮ・ｍ、パルス速度が３３３ｐｐｓ（ｐｕｌｓｅ  ｐｅｒ  ｓｅｃｏｎｄ）となるように制御すると共に、表示変化部材４５の重さを考慮して、各第２の駆動モータ４６を、駆動トルクが３５ｍＮ・ｍ、パルス速度が５００ｐｐｓとなるように制御する。即ち、第１の駆動モータ４３の駆動トルク及びパルス速度よりも、第２の駆動モータ４６の駆動トルク及びパルス速度の方が大きくなっている。ここで、本実施形態では、第１の駆動モータ４３とサブ液晶表示装置４１との間及び第２の駆動モータ４６と表示変化部材４５との間の動力伝達機構として、例えば、ラックアンドピニオン機構等が用いられることにより、サブ液晶表示装置４１と表示変化部材４５の移動速度は、第１と第２の駆動モータ４３，４６のパルス速度にほぼ比例する。従って、１対のサブ液晶表示装置４１，４１が互いに離れる際に、表示変化部材４５がサブ液晶表示装置４１につられて移動する虞を低減し、１対の表示変化部材４５，４５の間に隙間が生じる虞を低減することが可能となる。
【００５５】
また、駆動制御回路５９は、１対のサブ液晶表示装置４１，４１が互いに離れ、且つ、１対の表示変化部材４５，４５が互いの突き当て状態を保持する状態、即ち、図６（Ａ）に示した状態以外の状態においては、遊技状態に合わせて、各駆動モータ４３，４６の駆動トルク及び回転速度の値を制御する。例えば、図３（Ａ）から図４（Ａ）の変化に示したように、サブ液晶表示装置４１の裏側に隠れた状態で、サブ液晶表示装置４１と表示変化部材４５とが一体に移動する場合には、第１の駆動モータ４３について、駆動トルクを２０ｍＮ・ｍ、パルス速度を３３３ｐｐｓ、第２の駆動モータ４６について、駆動トルクを０ｍＮ・ｍ、パルス速度を０ｐｐｓとなるように設定される。その他、遊技状態に合わせて、各駆動モータ４３，４６の駆動トルク及びパルス速度は適宜変更される。本実施形態では、駆動制御回路５９が本発明の「駆動制御手段」に相当する。
【００５６】
なお、各制御回路５０，５２，５４〜５９は、電源基板６０（図８参照）からの電源供給を受けて作動する。
【００５７】
本実施形態に係る遊技機１０の構成に関する説明は以上である。次に、遊技機１０の作用効果について説明する。
【００５８】
本実施形態の遊技機１０では、特定の演出条件が成立すると、可動演出部材４０，４０を用いた液晶駆動演出が実行される。具体的には、液晶駆動演出では、まず、液晶表示装置３０の表示画面３０Ｇの左右両側に配置された１対の可動演出部材４０，４０が接近して、表示画面３０Ｇの前方で互いに突き当て状態となり、その後、可動演出部材４０，４０のうちサブ液晶表示装置４１，４１が離間する。すると、サブ液晶表示装置４１，４１の裏側に隠れていた表示変化部材４５，４５が互いに突き当てられた状態で表示画面３０Ｇの前方に出現し、それら表示変化部材４５，４５によって表示画面３０Ｇの表示が拡大されて見えるようになる。
【００５９】
ここで、表示変化部材４５はサブ液晶表示装置４１に組み付けられているため、サブ液晶表示装置４１，４１同士が互いに離れるときに、表示変化部材４５がサブ液晶表示装置４１つられて移動して、表示変化部材４５，４５同士の間に隙間が生じると、その隙間が形成された部分だけ表示画面３０Ｇの表示が拡大されなくなり、遊技者に違和感を与えることとなる。
【００６０】
しかしながら、本実施形態では、サブ液晶表示装置４１，４１と表示変化部材４５，４５を駆動する第１と第２の駆動モータ４３，４６は、駆動制御回路５９によって、表示変化部材４５が出現位置へ向かうときの第１の駆動モータ４３の駆動トルクの大きさ及びサブ液晶表示装置４１に対する相対移動速度の大きさが、サブ液晶表示装置４１，４１同士が互いに離れるときの第１の駆動モータ４１の駆動トルク及びサブ液晶表示装置４１の移動速度の大きさ以上となるように制御されるので、表示変化部材４５がサブ液晶表示装置４１につられて移動して、表示変化部材４５，４５同士の間に隙間が生じることが抑えられる。これにより、遊技者に違和感を与えることが抑制可能となる。
【００６１】
［第２実施形態］
以下、本発明の第２実施形態の図９〜図１１に基づいて説明する。本実施形態は、上記第１実施形態を変形したものであり、図９（Ａ）に示すように、液晶表示装置３０の左側にのみ可動演出部材４０を備えている。詳細には、本実施形態では、ガイドレール４２が表示画面３０Ｇの右端寄り位置まで延びていて、図９（Ａ）から図１０（Ａ）への変化に示すように、サブ液晶表示装置４１が表示画面３０Ｇの左側部分の前方から右側部分の前方まで移動するようになっている。なお、本実施形態においては、図９（Ａ）と図９（Ｂ）に示したサブ液晶表示装置３１の位置をそれぞれ、待機位置、演出位置と呼ぶことにする。
【００６２】
図９（Ａ）に示すように、液晶表示装置３０の右側部の前方には、遊技板１１に固定された当接部材３５が配置されている。この当接部材３５は、図９（Ｂ）に示すように、奥行き方向の大きさが可動演出部材４０の奥行き方向の大きさより若干大きくなっていて、サブ液晶表示装置４１と表示変化部材４５との両方に突き当て可能となっている。なお、図９〜図１１に示した例では、当接部材３５は、可動演出部材４０とほぼ同じ高さの柱状をなしているが、表示装飾枠２３（第１実施形態の図２参照）の一部として構成されてもよい。
【００６３】
さて、本実施形態においても、上記第１実施形態と同様に、可動演出部材４０を用いて液晶駆動演出が行われる。具体的には、本実施形態では、液晶駆動演出が実行されると、図９（Ａ）から図１０（Ａ）への変化に示すように、サブ液晶表示装置４１が第１の駆動モータ４３により駆動されて基準位置から演出位置へと配置され、図１０（Ｂ）に示すように、サブ液晶表示装置４１は、表示画面３０Ｇの前方で当接部材３５に突き当てられる。なお、図示はしないが、サブ液晶表示装置４１が当接部材３５に突き当てられた後、表示変化部材４５が第２の駆動モータ４６により駆動されて当接部材３５に突き当てられる。
【００６４】
表示変化部材４５が当接部材３５に突き当てられると、サブ液晶表示装置４１が待機位置へと移動し、当接部材３５から離れる（図１１（Ａ）参照）。このとき、表示変化部材４５は、当接部材３５との突き当て状態を保持するようにサブ液晶表示装置４１と逆方向に移動して、サブ液晶表示装置４１から突出する（図１１（Ｂ）参照）。そして、表示画面３０Ｇのうち表示変化部材４５に覆われた部分が、拡大されて見えるようになる。
【００６５】
このように、本実施形態の液晶駆動演出では、まず、可動演出部材４０が駆動されて表示画面３０Ｇの前方で当接部材３５に突き当てられ、その後、可動演出部材４０のうちサブ液晶表示装置４１が当接部材３５から離間する。すると、サブ液晶表示装置４１の裏側に隠れていた表示変化部材４５５が当接部材３５に突き当てられた状態で表示画面３０Ｇの前方に出現する。
【００６６】
本実施形態のその他の構成については、上記実施形態と同様になっているので、説明を省略する。本実施形態によれば、上記実施形態と同様の効果を奏することが可能となる。
【００６７】
［第３実施形態］
以下、本発明の第３実施形態を図１２〜図１３に基づいて説明する。本実施形態は、上記第１実施形態を変形したものであり、可動演出部材の構成が異なっている。図１２（Ａ）に示すように、本実施形態では、液晶表示装置３０の前側下方に、１対の可動演出部材４０Ｖ，４０Ｖが横並びに配置されている。なお、図１２（Ａ）の例では、可動演出部材４０Ｖは、遊技板１１の裏側に配置されているが、表側に配置されていてもよい。
【００６８】
各可動演出部材４０Ｖは、第１移動部材７１と、第１移動部材７１の裏側に組み付けられた第２移動部材７２とで構成されている。１対の第１移動部材７１，７１は、円弧状をなし、第２の駆動モータ７３から駆動力を受けて、前後方向と平行な軸を中心にして回動する。そして、図１２（Ａ）から図１２（Ｂ）への変化に示すように、互いに逆方向に回転したときに、表示画面の前方３０Ｇで突き当てられて合体状態となる。本実施形態では、１対の第１移動部材７１，７１は、共に、４分の１円の円弧状に形成され、合体状態で半円を形成する。なお、以下では、図１２（Ａ）と図１２（Ｂ）に示した第１移動部材７１の位置を、それぞれ「基準位置」、「演出位置」と呼ぶことにする。
【００６９】
第２移動部材７２は、第１移動部材７１よりも径方向の幅が狭くなった円弧状をなし、第２の駆動モータ７４により駆動されて第１移動部材７１に対して相対移動可能となっている。具体的には、第２移動部材７２は、第１移動部材と共通の回動軸を有して、第１移動部材７１の移動経路に沿って回動可能となっている。また、第２の駆動モータ７４は、第１移動部材７１の裏側に取り付けられている。なお、１対の第２移動部材７２，７２は、第１移動部材７１と同様にして、４分の１円の円弧状に形成されている。
【００７０】
さて、本実施形態では、１対の可動演出部材４０Ｖ，４０Ｖを用いた駆動演出が実行される。この駆動演出では、まず、図１２（Ａ）から図１２（Ｂ）への変化に示すように、１対の第１移動部材７１，７１が基準位置から演出位置へと移動して合体状態となる。このとき、１対の第２移動部材７２，７２は、合体状態の第１移動部材７１，７１の裏側で、互いに突き合わされて合体状態となり半円を形成する。即ち、図１２（Ｂ）に示した状態では、１対の第１移動部材７１，７１と１対の第２移動部材７２，７２とが共に合体状態となっている。
【００７１】
１対の第１移動部材７１，７１は、合体状態となった後、基準位置へと移動して違いに離れる。このとき、第２移動部材７２は、図１３（Ａ）に示すように、その第２移動部材７２が組み付けられている第１移動部材７１と反対方向に回動し、１対の第２移動部材７２，７２は、合体状態に保持される。そして、第１移動部材７１，７１が基準位置へと戻ると、図１３（Ｂ）に示すように、表示画面３０Ｇの前方には、合体状態の第２移動部材７２，７２によって形成されて半円が配置される。そして、第２移動部材７２，７２が互いに離れるように回動すると、図１２（Ａ）に示した状態に戻り、駆動演出が終了する。
【００７２】
第１と第２の駆動モータ７３，７４は、上記第１実施形態と同様の駆動制御回路５９（第１実施形態の図８参照）によって制御される。ここで、駆動制御回路５９は、１対の第１移動部材７１，７１が合体状態から互いに離れるときに、第２の駆動モータ７４の駆動トルクの大きさが第１の駆動モータ７３の駆動トルクの大きさ以上であって、第２移動部材７２の第１移動部材７１に対する相対回転速度が、第１移動部材７１の回転速度以上となるように、第１と第２の駆動モータ７３，７４を制御する。詳細には、第１と第２の駆動モータ７３，７４のパルス速度は、第１と第２の移動部材７１，７２の回転速度にほぼ比例し、駆動制御回路５９は、第２の駆動モータ７４のパルス速度の大きさが第１の駆動モータ７３のパルス速度の大きさ以上となるように、第１と第２の駆動モータ７３，７４を制御する。その結果、第２移動部材７２，７２は、第１移動部材７１，７１が互いに離れるときに、定位置に保持されるか、又は、互いに押し合うように駆動される。これにより、合体状態の第２移動部材７２，７２の間に隙間が生じることが抑えられ、遊技者に違和感を与えることが抑えられる。
【００７３】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００７４】
（１）上記実施形態では、本発明をパチンコ遊技機に適用した例を示したが、スロットマシンに適用してもよい。
【００７５】
（２）上記実施形態では、表示変化部材４５は、拡散レンズであったが、例えば、カラーフィルターや有色透光材料等であってもよい。
【００７６】
（３）上記実施形態において、液晶駆動演出が、表示画面３０Ｇ，４１Ｇの表示をする表示制御回路５４と、第１と第２の駆動モータ４３，４６を制御する駆動制御回路５９の２つの制御回路で実行される構成であったが、１つの制御回路で実行される構成としてもよい。この構成によれば、表示画面３０Ｇと表示画面４１Ｇとにまたがって文字等の画像を表示させる場合に、それら表示画面３０Ｇ，４１Ｇでの表示と、サブ液晶表示装置４１の位置との整合が取り易くなる。なお、本構成では、その１つの制御回路が本発明の「駆動制御手段」に相当する。
【００７７】
（４）上記第１実施形態において、駆動制御手段５９は、サブ液晶表示装置４１，４１同士が突き当て状態になると同時に、表示変化部材４６，４６が突き当て状態となるように、第１と第２の駆動モータ４３，４６を制御してもよい。また、同様にして、上記第２実施形態においても、サブ液晶表示装置４１と表示変化部材４５とが、同時に当接部材３５に突き当てられてもよい。
【００７８】
（５）上記第１〜第２実施形態では、本発明の「第１移動部材」が表示部（表示画面４１Ｇ）を備えた表示装置（サブ液晶表示装置４１）であったが、表示部を備えない役物であってもよい。なお、この場合、表示変化部材４５は、役物の表側、裏側の何れに配置されてもよい。
【００７９】
（６）上記第１〜第２実施形態では、表示変化部材４５は、サブ液晶表示装置４１の裏側に配置されていたが、表側に配置されてもよい。
【００８０】
（７）上記第１実施形態では、サブ液晶表示装置４１，４１が互いに離れるときの表示変化部材４５のサブ液晶表示装置に対する相対移動の方向は、サブ液晶表示装置４１の移動方向の真逆であったが、サブ液晶表示装置４１の反対側へ向かう方向であれば何れの方向でもよい。具体的には、図１４に示すように、サブ液晶表示装置４１の移動方向に対して斜めであってもよい。なお、図１４（Ａ）から図１４（Ｂ）の変化、図１４（Ｂ）から図１４（Ｃ）への変化のそれぞれは、は、上記第１実施形態における図３（Ａ）から図５（Ａ）の変化、図５（Ａ）から図６（Ａ）への変化に対応する。本構成は、上記第２実施形態に適用されてもよい。
【００８１】
（８）上記第１実施形態では、サブ液晶表示装置４１，４１が互いに離れる際の第１と第２の駆動モータ４３，４６の駆動トルク及びパルス速度の具体的な値として、第２の駆動モータ４６の駆動トルク及びパルス速度が第１の駆動モータ４３の駆動トルク及びパルス速度よりも大きい例を示したが、第１の駆動モータ４３の駆動トルク及びパルス速度と同じ値であってもよい。また、サブ液晶表示装置４１，４１が互いに離れる際に表示変化部材４５がサブ液晶表示装置４１につられて移動する虞を低減するものであれば、第１と第２の駆動モータ４３，４６の駆動トルク及びパルス速度は、サブ液晶表示装置４１及び表示変化部材４５の重さに応じて、適宜変更されてもよい。その際、１対の第１の駆動モータ４３，４３の間で、駆動トルク及びパルス速度を異ならせてもよい。また、同様に、１対の第２の駆動モータ４６，４６の間で、駆動トルク及びパルス速度を異ならせてもよい。
【００８２】
（９）上記実施形態では、各駆動モータ４３，４６とサブ液晶表示装置４１及び表示変化部材４５とを連結するために、ラックアンドピニオン機構を用いた例を示したが、それに限るものでなく、例えば、複数のギアを用いる構成等、各駆動モータ４３，４６によりサブ液晶表示装置４１及び表示変化部材４５を駆動する機構であればよい。
【００８３】
（１０）上記実施形態及び上記（９）の構成において、動力伝達に用いるギアの歯数等は、本発明の要旨を逸脱しない範囲内で適宜変更されてもよい。
【００８４】
なお、上記実施形態では、駆動源としてモータを用い、その駆動トルク及びパルス速度を制御する構成であったが、これを上位概念化すれば、力のモーメントにより第１と第２の移動部材（サブ液晶表示装置４１及び表示変化部材４５）の移動速度を変化させる駆動源を用い、その力のモーメントに関連する駆動源のパラメータを制御する構成となる。そして、この上位概念化した構成によっても、本発明と同様の効果を奏することが可能となる。
【符号の説明】
【００８５】
１０    遊技機
３０    液晶表示装置
３０Ｇ    表示画面（表示部）
３５    当接部材
４０，４０Ｖ    可動演出部材（当接部材）
４１    サブ液晶表示装置（第１移動部材）
４１Ｇ    表示画面（サブ表示部）
４２    第１の駆動モータ（第１の駆動源）
４５    表示変化部材（第２移動部材）
４６    第２の駆動モータ（第２の駆動源）
５９    駆動制御回路
７１    第１移動部材
７２    第２移動部材
【図１】
2015188660.tif 000003
【図２】
2015188660.tif 000004
【図３】
2015188660.tif 000005
【図４】
2015188660.tif 000006
【図５】
2015188660.tif 000007
【図６】
2015188660.tif 000008
【図７】
2015188660.tif 000009
【図８】
2015188660.tif 000010
【図９】
2015188660.tif 000011
【図１０】
2015188660.tif 000012
【図１１】
2015188660.tif 000013
【図１２】
2015188660.tif 000014
【図１３】
2015188660.tif 000015
【図１４】
2015188660.tif 000016